(57)【要約】ボールペンなどの筆記具であって、伸長した管状のハウジングと、筆記を目的として前記ハウジングに接続の表示面とを含み、前記レンチキュラー表示は、筆記中のペンの握りや保持を容易にする複数の溝を含む。されたボールペン先端部と、前記筆記具本体の外面の同様な領域に、広告や表象情報に合致した一組の異なる合成された画像を含むレンチキュラー画像
2004505809.tif 000002
【特許請求の範囲】
【請求項１】
広告もしくは情報の表示を付与されて広告に利用される筆記具であって、拡張された筆記具本体と、前記本体に接続されてユーザが筆記具として該器具を利用可能にする筆記要素と、前記筆記具本体の外側の表面に取り付けられたレンチキュラー表示システムとを備え、前記レンチキュラー表示は、同じ領域で、当該レンチキュラー表示を用いて異なる視野角で見ることが可能な少なくとも２つの異なる画像を含み、前記表示は、握りを容易にするためにレンズ溝を含む。
【請求項２】
前記筆記具はボールペンであることを特徴とする請求項１の器具。
【発明の詳細な説明】
【０００１】
発明の背景
１．発明の分野
本発明は、一般に、広告などのように表象（ｉｎｄｉｃｉａ）の表示に利用可能な筆記具や、特にボールペンなどのような筆記具に関し、前記筆記具のハウジングの外側面に付加されたレンチキュラーレンズの表示システムによって生成される２つ若しくはそれ以上の光学的な表示を持つものに関する。
２．関連技術の説明
筆記具は、ビジネスのために広告の普及した態様として長年に亘って利用されている。特に、会社の名前やロゴは、たびたび筆記ペンの表面にプリントされている。１９９２年２月１１日にＡｂｅｒｎｅｔｈｙに発行された米国特許第５，０８６，５７７号は、筆記具の広告用部品を開示している。１９８８年１１月２９日にＦｅｎｇに発行された米国特許第４，７８７，１６１号は、表示のためにユーザのポケットに把持できる広告用の筆記具を開示している。
【０００２】
また、ユーザの手や指でペン本体を握る際に、筆記を容易化するために滑らない表面を持つボールペンなどの筆記具が望まれている。
【０００３】
本発明は、ボールペン、インクペン、鉛筆、あるいは情報、広告、もしくは娯楽を目的として筆記具の外側の本体に配設される絵、図表、文字や数字の情報を含む２つ又はそれ以上の視認可能な表象表示を有する鉄筆（ｓｔｙｌｕｓ）などの改良された筆記具を提供する。
【０００４】
レンチキュラー光学システムの設計や製造における進化は、レンチキュラーレンズアレイの使用の増加をもたらしている。
【０００５】
レンチキュラーレンズは、あらゆる態様の光学的な作用を生じさせるために、光学システムで利用することが従来より知られている。従来のレンチキュラー光学システムは、一般に、１つの面と他の面に平らな表面を持つ透明シートと、凸レンズのマルチレンチキュラーシステムを構成する平行な溝によって分割された、連続する平行で、長尺状の、凸状に曲がった隆起部とを含む。表象がプリントされたシートは、典型例として、上記平らな表面に近接してレンズの背面に配設される。上記プリントされたシートは、元の画像の分割した部分や散在した部分を構成する少なくとも２つの交互に連続して間隔をおいた画像の線を持っている。連続して間隔をおいた画像線は、上記レンズや画像に対する見る者の見る位置の変化によって交互に視認可能なように、レンズ要素について光学的に関連付けられている。第１の位置から見た場合、第１の連続する画像線が視認でき、第１の合成画像が見られる。第２の位置から見た場合、第２の（異なる）連続する画像線が視認でき、第２の（異なる）合成画像を表示する。Ａｎｄｅｒｓｏｎに発行された米国特許第２，８１５，３１０号では、２つの画像レンチキュラー光学システムが例示されている。
【０００６】
レンチキュラー光学システムの更なる進化は、視認可能な画像の組み合わせの増加を可能にする結果をもたらしている。上記視認可能な組み合わせの増加は、レンチキュラーの動画を可能にした。従って、見る者がレンチキュラーレンズアレイの視野スクリーンに対して動いたときに、一連の絵が連続的に見えて、動作の状態が連続的に変化する印影を作り出す。よって、現状でのレンチキュラー光学技術は、連続した視野角で正しく見たときに、動画となる連続したＮ個のシーンの合成画像を生じさせることができる。加えて、そのような技術は、例えば、顧客情報、電話番号、ｅメールアドレスなどの、広く様々な有用性のある情報の表示に用いられる。
【０００７】
視野角の変化で変化する画像の生成は、長年に亘って知られている。例えば、Ａ．Ｇ．Ａｎｄｅｒｓｏｎによる米国特許第２，８１５，３１０号に記載されている。その画像は、紙、厚紙、若しくはプラスチックなどの素材からなる不透明な若しくは透明なシートに生成される。結果的に生じる印影は、白黒若しくはカラーであって、透明なレンチキュラーレンズにラミネートされる。一方で、透明なプラスチック担体では、反転した側にプリントされ、上記担体のレンチキュラーレンズ面を通して視認される。
【０００８】
レンチキュラースクリーンは、広く知られたように、隣り合うように関連して配列された複数のレンズを持つ。各レンズは、一般にレンチクル（ｌｅｎｔｉｃｌｅ）と呼ばれ、拡張され、もしくは円形で凸状の前向きの面、および平らな後ろ向きの面によって構成されている。
【０００９】
プリント画像は、互い違いの線条により平行な線の格子を作り出す２つの間引かれた絵によって形成される。そのピッチ、若しくはユニット区分ごとの画像要素対の数は、レンチキュラーアレイのレンズピッチと同じにする必要がある。加えて、各凸レンチクルの焦点距離は、レンチキュラーシートの厚さと同じにされる。このような条件下で、ある視野角では、見る者が１つの絵だけ見えると共に、異なる視野角では、同じ見る者は他の絵が見える。
【００１０】
上記画像要素をレンチキュラーアレイに画像登録する必要性は、プリント又はレンズの形成過程を煩雑にする。実際には、レンチキュラーアッセンブリのピッチが、１インチ当たり１００個のレンチクルと同等の空間に限定される。１インチ当たり５０−１００個）のレンチクルであっても、数インチを超える幅より広い登録画像を保持することが難しい。この制限は、画像の解像度の質やサイズを限定する。
【００１１】
レンチクルの焦点距離は、レンチキュラーシートの厚さと同じにされる。１インチ当たり１００個のレンチクルのピッチでは、半円筒状のレンチキュラー面とすると、従来のプラスチックシートの焦点距離は、１．５から１．６の屈折率を持ち、０．０１６から０．０１９インチになる。
【００１２】
現状では、広告の表示に利用できて、単一の器具で複数の異なる画像の表示を持つように利用できるボールペンなどの筆記具のために必要となる。上記レンチキュラーレンズの表面の溝は非クリッパ状で、上記筆記具を握ったり保持したり、手や指で書くのに役立つ。これは、ボールペンなどの筆記具の本体のまわりに環状に存在するレンチキュラーレンズの溝により分割された複数の凸レンズ面によって生じている。
本発明の概要
ボールペンなどの筆記具は、実質的に円筒状の拡張したハウジングと、インク貯蔵部であって、その一端から突出する筒部と、ボールペン先端部とを含む。筒部の支持部は、拡張した管状のハウジング内に配設される。ペン先端部を作動させる機構は、ボールペン先端部を手により上記ハウジングの一端部から引っ込み若しくは伸ばす作動キャップを含む。
【００１３】
管状のハウジングの外部の表面に取り付けられているのは、ペン本体の外部の表面のまわりに横向きに分散する環状の溝により分割された複数の凸レンズ面を含む、レンチキュラーレンズの２つの画像表示システムである。レンズの素材は、半透明で透視できるプラスチックである。ペンの外側の本体の表面若しくはレンズ本体の平らな下面に直接配置されているのは、レンチキュラーレンズで利用される表象画像であり、レンチキュラーレンズは、見る者の視点（目）に対してペン本体を相対的に動かすことにより、見る者がボールペンの外面の部分に配置された少なくとも２つの視認画像や絵を見ることができるように、レンチキュラー凸レンズ面に関して精密に位置決めされた２つの分離したインク画像を含む。従って、ボールペンの管状本体は、ペンハウジングの外部の表面に取り付けられた、レンチキュラーレンズアレイと少なくとも２つの異なる画像を含む。レンチキュラーレンズアレイは、動画や、文字や数字の情報、広告素材、あるいは他の有用な情報を表示可能なレンチキュラー光学システムを形成する。レンズにおける実際の画像のレンズは、紙面に存在するか、ペン本体に接着されるか、ペンやレンズの表面に直接描画される。本発明は、透明なレンチキュラー表示を備える少なくともペン本体の表面部分を含む。
【００１４】
ボールペンとインクの紙への移動は通常の方法で行われ、また、レンチキュラー環状溝がペン本体の長さ方向の断面に対して平行に配置されていることによって、レンチキュラーレンズ光学システムも外部のペン表面を保持するのに役立っている。上記溝は、ペンを保持する手や指の握る面で滑らないような補助及び改良を施せるように、そのように離れて間隔をおいている。また、ペンは、親指と人差し指の先端のために先端部に近く、先端部の近くでペンを保持するためのラバー状の保持部を含む。
【００１５】
本発明の目的は、表象の表示のためにその本体の外部にレンチキュラーレンズの光学的な表示システムを含む、ボールペンなどの筆記具を提供することである。
【００１６】
本発明の他の目的は、筆記具本体の外側の表面に広く様々な（少なくとも２つ又はそれ以上の）画像及び／又は情報を表示できるレンチキュラーレンズアレイを含む筆記具を提供することである。
【００１７】
また、本発明の他の目的は、２つの画像の表象とレンチキュラーの外部のレンズ表面と滑らないように握るための溝を含む手書きで利用するための標準的な筆記具の仕様と大きさに製造されるレンチキュラーレンズアレイを有する手書きの筆記具を提供することである。
【００１８】
これら及び他の目的によれば、下記で明らかになるが、本発明は、添付した図面を特に参照して記述されている。
（本発明の好ましい態様）
ここで、図面及び特に図１を参照すると、本発明が、円錐形のラバー又は合成ラバーのような握る先端部３０を持つ拡張された管部である、ボールペンの環状のプラスチック製又は金属製の本体１２を含む１０で全体的に示されている。上記円錐形の先端部３０は、握りの容易化のために先端部の表面３０に向いた複数の半球状の凹部を含む。上記ボールペンのハウジング１２内には、筆記を目的として端部に接続されたボールペンの先端部２８を有するインク貯蔵部としての筒部２０がある。上記ボールペン１０は、スプリング式のロック部を含む上記ハウジング１２内部に機構を含み、ボタン１８を手で押し込むことで上記ボールペン先端部２８を上記機構の位置に応じて引っ込めたり、伸長させることができる。上記ボールペンそれ自体は、操作は従来通りであり、ポケットにクリップするためのクリップ部１６を含む。上記ハウジング１２は金属製又はプラスチック製である。
【００１９】
上記ハウジング１２の外部に接着されているのは、人間の一対の唇が開いたときと閉じたときの両方を示すイラストとしての２つの画像の表象２４と２６である。上記唇が開いた画像の表象２４は人間の歯を示し、画像の表象２６は一対の閉じた唇を示している。上記画像２４と２６は、上記ペン本体が見る者の視線に対して動いたときに変化する。これら画像２４と２６は、上記外部の表面１２に紙又はプラスチックの画像の表象を描画するか又は接着することにより上記本体１２の表面に配設されている。上記表象２４と２６の上部に配置されているのは、上記ボールペン１０の環状本体のまわりに横向きに配設された溝２２によって分割された凸レンズ１４を有するレンチキュラーレンズシステムである。各環状溝２２は、基本的には、上記ボールペンの長軸方向に垂直となる平面を形成している。各々の溝２２は、環状に囲むように伸び、上記レンチキュラー表示システムを形成する近接した凸レンズ１４を分割している。図２は、図１に示す上記ペンを同様に見た状態を示しているが、図１の状態に対して９０°で表象２４と２６をも含んだ状態を示している。各画像は、２組の線により構成され、各画像が置かれた位置で画像２４と２６の両方を包含している。上記レンチキュラーレンズ１４の機能により、上記ペン本体を動かすと、開いた唇の表示と閉じた唇の表示との間で唇２４と２６の動きを生じさせる。上記例では、上記レンチキュラーレンズの表面領域の大きさが強調されているが、見た目は非常に小さいものとなっている。また、図２では、図１に要素２８として示す上記ボールペンの筆記先端部は引っ込められている。図１，２において上記ペン１０上の一対の唇の各々は、画像２４と２６の両方を包含している。
【００２０】
図３を参照すると、上記ボールペン本体１２が断面で示され、上記レンチキュラー凸レンズ１４の各々に対応して２つの異なる画像線２４と２６がその表面に貼り付けられている。基本的には、人が上記画像線２４又は２６を見たときには、上記レンチキュラー凸レンズ１４とそれらが溝２２により分割されていることにより、ある位置では上記人の目が、一対の唇が閉じられたことを示す一組の画像線２６を知覚する。上記ペン本体を見る者に対して動かすことにより、同じ領域に上記唇が開いて歯が見える異なる画像２４が示される。また、上記ペン本体を動かすことで閉じたり開けたりする動作が知覚される。文字や数字の組み合わせ情報、文字、会社のロゴ、あるいは上記ボールペンを使う者が利用できる他の情報など、いずれにしてもあらゆる態様の２つの異なる画像が適用可能である。
【００２１】
図３に示すように、上記人の目は、上記ボールペン本体の相対的な位置に応じて表象２６又は２４のいずれかを見ることができる。
【００２２】
なお、図面では、上記凸レンズ表面１４と溝２２は大きさが強調されているが、実際のペンでは非常に小さいものとなっている。上記ペン本体のレンズ表面の外部は、筆記時にペンを握りやすくするために滑りにくい表面を持っている。
【００２３】
図４は、その外部の表面に、上記ペン本体の同様の領域に上記レンチキュラー光学形１４に対応した大きさで利用される表象の画像２４と２６が貼り付けられたボールペン本体１２を示している。レンチキュラー凸レンズ１４が上記溝２２により分割されていることで、見る者が上記表象の画像線２４もしくは他方の表象の画像線２６のいずれかを見ることができる。上記例で言及したように、上記画像２４と２６は、閉じた位置で動画化された一対の唇となり、それから上記唇と歯を露出する開いた位置に導かれる。動きは、視野角を変えながら上記２つの画像の間で認識することができる。図３及び４に概略して描写するように、間隔をおいて連続する画像の表象線２４と２６は、上記レンズに対する見る者の位置が変わることで変化して見えるように、レンズ要素に対して光学的に関連付けられている。例えば、第１の位置から見た場合、第１の連続する画像線２４が視認でき、第１の合成画像２４の表示となる。また、他の位置から見た場合、凸レンズ１４によって第１の画像線に向けて視線が屈折されるため、見る者は、第１の画像線の全てにより表される画像に対応して、統一性があり、包括的に上記画像線２４を見ることになる。第２の位置から見た場合には、第２の連続する画像線２６が視認でき、全体に亘って第２の合成画像の表示となる。同様に、第２の位置から見た場合、上記視線は、凸レンズ１４によって第２の画像線２６に向けて屈折されるため、見る者は、第２の画像線により表される画像に対応して、統一性があって包括的な上記画像２６を見ることになる。
【００２４】
前述のように、レンチキュラー光学システムの進化は、レンチキュラーレンズで利用するための、動画を含む画像数の増加をもたらしている。上記見る者の画像の組み合わせの増加は、レンチキュラー動画を可能にした。従って、見る者がレンチキュラー視野スクリーンに相対的に動いたときに、連続する絵が連続して視認され、動きの状態が連続的に変化する見え方となる。よって、ここで開示及び概略的に例示したことが第１及び第２の画像の組み合わせに限られているのに対して、本発明は、動画を可能にする多数の視認可能な画像の使用をも含む。本発明の好ましい態様では、連続する凸レンズを持つレンチキュラーレンズを想定しているが、本発明の趣旨を逸脱しない範囲で、他の適当なレンチキュラーレンズの構成でも可能であることが期待できる。
【００２５】
変形した態様での上記レンチキュラーレンズでは、情報伝達を目的として上記ボールペン本体の表面の小さい部分だけをカバーする。
【００２６】
ここで示した筆記具は、従来から知られたボールペンであるが、上記特有のレンチキュラーレンズシステムを表示用に上記外部の表面に付加することによって、万年筆や鉛筆、或いは電子機器を含む他の形態の筆記具に使用できる。上記レンチキュラーレンズシステムは、上記ボールペン本体のまわりに横方向に環状に伸びる溝を持って示されているが、上記溝が見る角度を９０°で変化させる上記外部の表面に沿って縦方向に伸びるように、レンチキュラーペンの表示を配列してもよい。
【００２７】
本発明は、最も実用的で好ましい態様と考えられるものを、ここで示し、説明した。しかしながら、本発明の趣旨を逸脱しない範囲で、上記態様からの変形もあること、及び当業者によって自明な変形がなされることは理解されるところである。
【図面の簡単な説明】
【図１】本発明の側面図であって、ボールペン先端部が伸長した状態を示す図である。
【図２】図１に示す本発明の正面図であって、図１の状態からボールペン先端部が９０°回転して伸長した状態を示す図である。
【図３】本発明の本体部分を説明するのための側断面の拡大図である。
【図４】本発明のボールペン表面の部分断面であって、表面に表象が配設された状態と、レンチキュラーレンズ部分を断面で示す図である。
【図１】
2004505809.tif 000003
【図２】
2004505809.tif 000004
【図３】
2004505809.tif 000005
【図４】
2004505809.tif 000006
【国際公開パンフレット】
2004505809.tif 000007
2004505809.tif 000008
2004505809.tif 000009
2004505809.tif 000010
2004505809.tif 000011
2004505809.tif 000012
2004505809.tif 000013
2004505809.tif 000014
2004505809.tif 000015
2004505809.tif 000016
2004505809.tif 000017
2004505809.tif 000018
2004505809.tif 000019
2004505809.tif 000020
2004505809.tif 000021
2004505809.tif 000022
2004505809.tif 000023
【手続補正書】
【提出日】平成14年11月4日(2002.11.4)
【手続補正１】
【補正対象書類名】明細書
【補正対象項目名】全文
【補正方法】変更
【補正の内容】
【発明の詳細な説明】
【書類名】明細書
【発明の名称】広告機能を持つ改良ボールペン
【特許請求の範囲】
【請求項１】広告もしくは情報の表示を付与される筆記具（１０）であって、拡張された筆記具本体（１２）と、前記本体に接続されてユーザが筆記具として該器具を利用可能にする筆記要素（２８）とを備え、
前記筆記具は、前記筆記具本体（１２）の外部の表面に取り付けられたレンチキュラー表示システムを更に備えることを特徴とし、
前記レンチキュラー表示システムは、
前記外部の握りを容易にするために溝（２２）により分割され、その下部表面が平らで前記筆記具本体（１２）の外部の表面の曲率に対応した複数の凸レンズ（１４）と、
異なる視野角で前記凸レンズ（１４）を介して外部から見ることが可能で、前記複数の凸レンズの下部の表面若しくは前記筆記具本体（１２）の外部の表面に直接配設された、少なくとも２つの異なる画像（２４）と（２６）とを備える。
【請求項２】前記筆記具（１０）はボールペンであることを特徴とする請求項１の器具。
【請求項３】前記筆記具（１０）はフェルトチップペンであることを特徴とする請求項１の器具。
【請求項４】前記筆記具（１０）は鉛筆であることを特徴とする請求項１の器具。
【請求項５】前記筆記具（１０）はマーカーであることを特徴とする請求項１の器具。
【請求項６】前記筆記具（１０）はフェルトペンであることを特徴とする請求項１の器具。
【請求項７】前記筆記具（１０）はクレヨンであることを特徴とする請求項１の器具。
【請求項８】前記筆記具（１０）はローラジェルペンであることを特徴とする請求項１の器具。
【請求項９】前記筆記具（１０）は万年筆であることを特徴とする請求項１の器具。
【発明の詳細な説明】
【０００１】
発明の背景
１．発明の分野
本発明は、一般に、広告などのように表象の表示に利用可能な筆記具や、特にボールペンなどのような筆記具に関し、前記筆記具のハウジングの外側面に付加されたレンチキュラーレンズの表示システムによって生成される２つ若しくはそれ以上の光学的な表示を持つものに関する。
２．関連技術の説明
筆記具は、ビジネスのために広告の普及した態様として長年に亘って利用されている。特に、会社の名前やロゴは、たびたび筆記ペンの表面にプリントされている。１９９２年２月１１日にＡｂｅｒｎｅｔｈｙに発行された米国特許第５，０８６，５７７号は、筆記具の広告用部品を開示している。１９８８年１１月２９日にＦｅｎｇに発行された米国特許第４，７８７，１６１号は、表示のためにユーザのポケットに把持できる広告用の筆記具を開示している。
【０００２】
また、ユーザの手や指でペン本体を握る際に、筆記を容易化するために滑らない表面を持つボールペンなどの筆記具が望まれている。
【０００３】
レンチキュラー光学システムの設計や製造における進化は、レンチキュラーレンズアレイの使用の増加をもたらしている。
【０００４】
レンチキュラーレンズは、あらゆる態様の光学的な作用を生じさせるために、光学システムで利用することが従来より知られている。従来のレンチキュラー光学システムは、一般に、１つの面と他の面に平らな表面を持つ透明シートと、凸レンズのマルチレンチキュラーシステムを構成する平行な溝によって分割された、連続する平行で、長尺状の、凸状に曲がった隆起部とを含む。表象がプリントされたシートは、典型例として、上記平らな表面に近接してレンズの背面に配設される。上記プリントされたシートは、元の画像の分割した部分や散在した部分を構成する少なくとも２つの交互に連続して間隔をおいた画像の線を持っている。連続して間隔をおいた画像線は、上記レンズや画像に対する見る者の見る位置の変化によって交互に視認可能なように、レンズ要素について光学的に関連付けられている。第１の位置から見た場合、第１の連続する画像線が視認でき、第１の合成画像が見られる。第２の位置から見た場合、第２の（異なる）連続する画像線が視認でき、第２の（異なる）合成画像を表示する。Ａｎｄｅｒｓｏｎに発行された米国特許第２，８１５，３１０号では、２つの画像レンチキュラー光学システムが例示されている。
【０００５】
レンチキュラー光学システムの更なる進化は、視認可能な画像の組み合わせの増加を可能にする結果をもたらしている。上記視認可能な組み合わせの増加は、レンチキュラーの動画を可能にした。従って、見る者がレンチキュラーレンズアレイの視野スクリーンに対して動いたときに、一連の絵が連続的に見えて、動作の状態が連続的に変化する印影を作り出す。よって、現状でのレンチキュラー光学技術は、連続した視野角で正しく見たときに、動画となる連続したＮ個のシーンの合成画像を生じさせることができる。加えて、そのような技術は、例えば、顧客情報、電話番号、ｅメールアドレスなどの、広く様々な有用性のある情報の表示に用いられる。
【０００６】
視野角の変化で変化する画像の生成は、長年に亘って知られている。例えば、Ａ．Ｇ．Ａｎｄｅｒｓｏｎによる米国特許第２，８１５，３１０号に記載されている。その画像は、紙、厚紙、若しくはプラスチックなどの素材からなる不透明な若しくは透明なシートに生成される。結果的に生じる印影は、白黒若しくはカラーであって、透明なレンチキュラーレンズにラミネートされる。一方で、透明なプラスチック担体では、反転した側にプリントされ、上記担体のレンチキュラーレンズ面を通して視認される。
【０００７】
レンチキュラースクリーンは、広く知られたように、隣り合うように関連して配列された複数のレンズを持つ。各レンズは、一般にレンチクル（ｌｅｎｔｉｃｌｅ）と呼ばれ、拡張され、もしくは円形で凸状の前向きの面、および平らな後ろ向きの面によって構成されている。
【０００８】
プリント画像は、互い違いの線条により平行な線の格子を作り出す２つの間引かれた絵によって形成される。そのピッチ、若しくはユニット区分ごとの画像要素対の数は、レンチキュラーアレイのレンズピッチと同じにする必要がある。加えて、各凸レンチクルの焦点距離は、レンチキュラーシートの厚さと同じにされる。このような条件下で、ある視野角では、見る者が１つの絵だけ見えると共に、異なる視野角では、同じ見る者は他の絵が見える。
【０００９】
上記画像要素をレンチキュラーアレイに画像登録する必要性は、プリント又はレンズの形成過程を煩雑にする。実際には、レンチキュラーアッセンブリのピッチが、１センチメートル当たり３９個若しくはそれ未満のレンチクル（１インチ当たり１００レンズ個のレンチクル）と同等の空間に限定される。１センチメートル当たり１９−３９個（１インチ当たり５０−１００個のレンチクル）のレンチクルであっても、数インチを超える幅より広い登録画像を保持することが難しい。この制限は、画像の解像度の質やサイズを限定する。
【００１０】
レンチクルの焦点距離は、レンチキュラーシートの厚さと同じにされる。１センチメートル当たり３９個のレンチクル（１インチ当たり１００個のレンチクル）のピッチでは、半円筒状のレンチキュラー面とすると、従来のプラスチックシートの焦点距離は、１．５から１．６の屈折率を持ち、０．０４０６から０．０４８センチメートル（０．０１６から０．０１９インチ）になる。
【００１１】
Ｗａｔｔの米国特許第４，８７０，７６８号は、凸状に曲がったレンズアレイに配置された複数のレンズと、上記レンズに対応して複数の実質的に曲がった絵とを備える表示部品を開示する。結果的に生じるアレイは、ボールペンなどの筆記具のまわりに配置可能である。しかしながら、Ｗａｔｔに開示された表示部品は、レンズアレイの個々のレンズに個別に対応付けられた実質的に凸状の曲がった画像が必要である。この複雑な光学的的配列は、部品全体のコストに付加される複雑な製造プロセスを必要とし、量産では実用化されていない。
【００１２】
現状では、広告の表示に利用できて、単一の器具で複数の異なる画像の表示を持つように利用できるボールペンなどの筆記具のコスト効果のために必要となる。
本発明の概要
本発明は、ボールペン、インクペン、鉛筆、あるいは情報、広告、もしくは娯楽を目的として筆記具の外側の本体に配設される絵、図表、文字や数字の情報を含む２つ又はそれ以上の視認可能な表象表示を有する鉄筆（ｓｔｙｌｕｓ）などの改良された筆記具を提供する。
【００１３】
ボールペンなどの筆記具は、実質的に円筒状の拡張したハウジングと、インク貯蔵部であって、その一端から突出する筒部と、ボールペン先端部とを含む。筒部の支持部は、拡張した管状のハウジング内に配設される。ペン先端部を作動させる機構は、ボールペン先端部を手により上記ハウジングの一端部から引っ込み若しくは伸ばす作動キャップを含む。
【００１４】
管状のハウジングの外部の表面に取り付けられているのは、ペン本体の外部の表面のまわりに横向きに分散する環状の溝により分割された複数の凸レンズ面を含む、レンチキュラーレンズの２つの画像表示システムである。レンズの素材は、半透明で透視できるプラスチックである。ペンの外側の本体の表面若しくはレンズ本体の平らな下面に直接配置されているのは、レンチキュラーレンズで利用される表象画像であり、レンチキュラーレンズは、見る者の視点（目）に対してペン本体を相対的に動かすことにより、見る者がボールペンの外面の部分に配置された少なくとも２つの視認画像や絵を見ることができるように、レンチキュラー凸レンズ面に関して精密に位置決めされた２つの分離したインク画像を含む。従って、ボールペンの管状本体は、ペンハウジングの外部の表面に取り付けられた、レンチキュラーレンズアレイと少なくとも２つの異なる画像を含む。レンチキュラーレンズアレイは、動画や、文字や数字の情報、広告素材、あるいは他の有用な情報を表示可能なレンチキュラー光学システムを形成する。レンズにおける実際の画像のレンズは、紙面に存在するか、ペン本体に接着されるか、ペンやレンズの表面に直接描画される。本発明は、透明なレンチキュラー表示を備える少なくともペン本体の表面部分を含む。
【００１５】
ボールペンとインクの紙への移動は通常の方法で行われ、また、レンチキュラー環状溝がペン本体の長さ方向の断面に対して平行に配置されていることによって、レンチキュラーレンズ光学システムも外部のペン表面を保持するのに役立っている。上記溝は、ペンを保持する手や指の握る面で滑らないような補助及び改良を施せるように、そのように離れて間隔をおいている。これは、ボールペンなどの筆記具の本体のまわりに環状に存在するレンチキュラーレンズの溝により分割された複数の凸レンズ面によって生じている。また、ペンは、親指と人差し指の先端のために先端部に近く、先端部の近くでペンを保持するためのラバー状の保持部を含む。
【００１６】
本発明の目的は、表象の表示のためにその本体の外部にレンチキュラーレンズの光学的な表示システムを含む、ボールペンなどの筆記具を提供することである。
【００１７】
本発明の他の目的は、筆記具本体の外側の表面に広く様々な（少なくとも２つ又はそれ以上の）画像及び／又は情報を表示できるレンチキュラーレンズアレイを含む筆記具を提供することである。
【００１８】
また、本発明の他の目的は、２つの画像表象とレンチキュラーの外部のレンズ表面と滑らないように握るための溝を含む手書きで利用するための標準的な筆記具の仕様と大きさに製造されるレンチキュラーレンズアレイを有する手書きの筆記具を提供することである。
【００１９】
好ましい態様では、本発明は、拡張された筆記具本体を備える広告もしくは情報の表示と、前記本体に接続されて、ユーザが筆記具として上記器具を利用可能にする筆記要素とを提供し、前記筆記具は、前記筆記具本体の外部の表面に取り付けられたレンチキュラー表示システムを更に備えることを特徴とし、
前記レンチキュラー表示システムは、
前記外側の握りを容易にするために溝により分割され、その下部表面が平らで前記筆記具本体の外部の表面の曲率に対応した複数の凸レンズと、
異なる視野角で前記凸レンズを介して外側から見ることが可能で、前記複数の凸レンズの下部の表面若しくは前記筆記具本体の外部の表面に直接配設された、少なくとも２つの異なる画像とを備える。
【００２０】
前記筆記具は、ボールペン、フェルトチップペン、鉛筆、マーカー、フェルトペン、クレヨン、ローラジェルペン、万年筆、若しくは他のタイプの筆記具にも代替できる。
【００２１】
これら及び他の目的によれば、下記で明らかになるが、本発明は、添付した図面を特に参照して記述されている。
（本発明の好ましい態様）
ここで、図面及び特に図１を参照すると、本発明が、円錐形のラバー又は合成ラバーのような握る先端部３０を持つ拡張された管部である、ボールペンの環状のプラスチック製又は金属製の本体１２を含む１０で全体的に示されている。上記円錐形の先端部３０は、握りの容易化のために先端部の表面３０に向いた複数の半球状の凹部３２を含む。上記ボールペンのハウジング１２内には、筆記を目的として端部に接続されたボールペンの先端部２８を有するインク貯蔵部としての筒部２０がある。上記ボールペン１０は、スプリング式のロック部を含む上記ハウジング１２内部に機構を含み、ボタン１８を手で押し込むことで上記筆記要素２８を上記機構の位置に応じて引っ込めたり、伸長させることができる。上記ボールペンそれ自体は、操作は従来通りであり、ポケットにクリップするためのクリップ部１６を含む。上記ハウジング１２は金属製又はプラスチック製である。
【００２２】
上記ハウジング１２の外部に接着されているのは、人間の一対の唇が開いたときと閉じたときの両方を示すイラストとしての２つの画像の表象２４と２６である。上記唇が開いた画像の表象２４は人間の歯を示し、画像の表象２６は一対の閉じた唇を示している。上記画像２４と２６は、上記ペン本体が見る者の視線に対して動いたときに変化する。これら画像２４と２６は、上記外部の表面１２に紙又はプラスチックの画像の表象を描画するか又は接着することにより上記本体１２の表面に配設されている。上記表象２４と２６の上部に配置されているのは、上記ボールペン１０の環状本体のまわりに横向きに配設された溝２２によって分割された複数の凸レンズ１４である。各環状溝２２は、基本的には、上記ボールペンの長軸方向に垂直となる平面を形成している。各々の溝２２は、環状に囲むように伸び、上記レンチキュラー表示システムを形成する近接した凸レンズ１４を分割している。図２は、図１に示す上記ペンを同様に見た状態を示しているが、図１の状態に対して９０°で表象２４と２６をも含んだ状態を示している。各画像は、２組の線により構成され、各画像が置かれた位置で画像２４と２６の両方を包含している。上記レンチキュラーレンズ１４の機能により、上記ペン本体を動かすと、開いた唇の表示と閉じた唇の表示との間で唇２４と２６の動きを生じさせる。上記例では、上記レンチキュラーレンズの表面領域の大きさが強調されているが、見た目は非常に小さいものとなっている。また、図２では、図１に要素２８として示す上記ボールペンの筆記先端部は引っ込められている。図１，２において上記ペン１０上の一対の唇の各々は、画像２４と２６の両方を包含している。
【００２３】
図３を参照すると、上記ボールペン本体１２が断面で示され、上記レンチキュラー凸レンズ１４の各々に対応して２つの異なる画像線２４と２６がその表面に貼り付けられている。基本的には、人が上記画像線２４又は２６を見たときには、上記レンチキュラー凸レンズ１４とそれらが溝２２により分割されていることにより、ある位置では上記人の目が、一対の唇が閉じられたことを示す一組の画像線２６を知覚する。上記ペン本体を見る者に対して動かすことにより、同じ領域に上記唇が開いて歯が見える異なる画像２４が示される。また、上記ペン本体を動かすことで閉じたり開けたりする動作が知覚される。文字や数字の組み合わせ情報、文字、会社のロゴ、あるいは上記ボールペンを使う者が利用できる他の情報など、いずれにしてもあらゆる態様の２つの異なる画像が適用可能である。
【００２４】
図３に示すように、上記人の目は、上記ボールペン本体の相対的な位置に応じて表象２６又は２４のいずれかを見ることができる。
【００２５】
なお、図面では、上記凸レンズ表面１４と溝２２は大きさが強調されているが、実際のペンでは非常に小さいものとなっている。上記ペン本体のレンズ表面の外部は、筆記時にペンを握りやすくするために滑りにくい表面を持っている。
【００２６】
図４は、その外部の表面に、上記ペン本体の同様の領域に上記レンチキュラー光学形１４に対応した大きさで利用される表象の画像２４と２６が貼り付けられたボールペン本体１２を示している。レンチキュラー凸レンズ１４が上記溝２２により分割されていることで、見る者が上記表象の画像線２４もしくは他方の表象の画像線２６のいずれかを見ることができる。上記例で言及したように、上記画像２４と２６は、閉じた位置で動画化された一対の唇となり、それから上記唇と歯を露出する開いた位置に導かれる。動きは、視野角を変えながら上記２つの画像の間で認識することができる。図３及び４に概略して描写するように、間隔をおいて連続する画像の表象２４と２６は、上記レンズに対する見る者の位置が変わることで変化して見えるように、レンズ要素に対して光学的に関連付けられている。例えば、第１の位置から見た場合、第１の連続する画像線２４が視認でき、第１の合成画像２４の表示となる。また、他の位置から見た場合、凸レンズ１４によって第１の画像線に向けて視線が屈折されるため、見る者は、第１の画像線の全てにより表される画像に対応して、統一性があり、包括的に上記画像線２４を見ることになる。第２の位置から見た場合には、第２の連続する画像線２６が視認でき、全体に亘って第２の合成画像の表示となる。同様に、第２の位置から見た場合、上記視線は、凸レンズ１４によって第２の画像線２６に向けて屈折されるため、見る者は、第２の画像線により表される画像に対応して、統一性があって包括的な上記画像２６を見ることになる。
【００２７】
前述のように、レンチキュラー光学システムの進化は、レンチキュラーレンズで利用するための、動画を含む画像数の増加をもたらしている。上記見る者の画像の組み合わせの増加は、レンチキュラー動画を可能にした。従って、見る者がレンチキュラー視野スクリーンに相対的に動いたときに、連続する絵が連続して視認され、動きの状態が連続的に変化する見え方となる。よって、ここで開示及び概略的に例示したことが第１及び第２の画像の組み合わせに限られているのに対して、本発明は、動画を可能にする多数の視認可能な画像の使用をも含む。本発明の好ましい態様では、連続する凸レンズを持つレンチキュラーレンズを想定しているが、本発明の趣旨を逸脱しない範囲で、他の適当なレンチキュラーレンズの構成でも可能であることが期待できる。
【００２８】
変形した態様での上記レンチキュラーレンズでは、情報伝達を目的として上記ボールペン本体の表面の小さい部分だけをカバーする。
【００２９】
ここで示した筆記具は、従来から知られたボールペンであるが、上記特有のレンチキュラーレンズシステムを表示用に上記外部の表面に付加することによって、万年筆や鉛筆、或いは電子機器を含む他の形態の筆記具に使用できる。上記レンチキュラーレンズシステムは、上記ボールペン本体のまわりに横方向に環状に伸びる溝を持って示されているが、上記溝が見る角度を９０°で変化させる上記外部の表面に沿って縦方向に伸びるように、レンチキュラーペンの表示を配列してもよい。
【００３０】
本発明は、最も実用的で好ましい態様と考えられるものを、ここで示し、説明した。しかしながら、請求項に記載された本発明の趣旨を逸脱しない範囲で、上記態様からの変形もあることは理解されるところである。
【図面の簡単な説明】
【図１】本発明の側面図であって、ボールペン先端部が伸長した状態を示す図である。
【図２】図１に示す本発明の正面図であって、図１の状態からボールペン先端部が９０°回転して引っ込められた状態を示す図である。
【図３】本発明の本体部分を説明するのための側断面の拡大図である。
【図４】本発明のボールペン表面の部分断面であって、表面に表象が配設された状態と、レンチキュラーレンズ部分を断面で示す図である。
【手続補正２】
【補正対象書類名】図面
【補正対象項目名】図１
【補正方法】変更
【補正の内容】
【図１】
2004505809.tif 000024
【手続補正３】
【補正対象書類名】図面
【補正対象項目名】図２
【補正方法】変更
【補正の内容】
【図２】
2004505809.tif 000025
【手続補正４】
【補正対象書類名】図面
【補正対象項目名】図３
【補正方法】変更
【補正の内容】
【図３】
2004505809.tif 000026
【手続補正５】
【補正対象書類名】図面
【補正対象項目名】図４
【補正方法】変更
【補正の内容】
【図４】
2004505809.tif 000027
【国際調査報告】
2004505809.tif 000028
2004505809.tif 000029